(57)【要約】      （修正有）【課題】高速で処理できる高級化粧品用の郵便梱包機を提供する。【解決手段】機体１０を含み、前記機体１０の内には回転チャンバー１５が設置され、前記回転チャンバー１５の中の頂壁には運動装置１３がスライドできるように連結され、前記回転チャンバー１５の左側には梱包装置１１が固定的に設置され、前記回転チャンバー１５の右側には投入装置３７が固定的に設置され、前記運動装置１３の下端にはキャッチ装置１２が回転できるように連結され、前記キャッチ装置１２は平たい紙を箱に折りたため、底を封じることに便利を与え、底を封じた後に前記投入装置３７で箱詰めを行い、更に前記梱包装置１１で口を封じ、前記運動装置１３には第一扇形ギヤが設置され、前記第一扇形ギヤが上ラック１７と下ラックと周期的に噛み合っている。【選択図】図１
2020200109.tif 000002
【特許請求の範囲】
【請求項１】
正面視で、機体を含み、前記機体の内には回転チャンバーが設置され、前記回転チャンバーの中の頂壁には運動装置がスライドできるように連結され、前記回転チャンバーの左側には梱包装置が固定的に設置され、前記回転チャンバーの右側には投入装置が固定的に設置され、前記運動装置の下端にはキャッチ装置が回転できるように連結され、
前記キャッチ装置は平たい紙を箱に折りたため、底を封じることに便利を与え、底を封じた後に前記投入装置で箱詰めを行い、更に前記梱包装置で口を封じ、
前記運動装置には第一扇形ギヤが設置され、前記第一扇形ギヤが上ラックと下ラックと周期的に噛み合っており、これにより左右運動を実現し、前記運動装置には第二扇形ギヤが設置され、前記第二扇形ギヤが第一ギヤを周期的に噛み合っており、これにより方向変換を実現し、
前記梱包装置の右端には上ガイドプレートと、下ガイドプレートと、左ガイドプレートと、右ガイドプレートとが設置され、紙箱が狭い入口に入ると紙箱の蓋を折りたたみ、これにより自動的に底を封じることを実現し、
前記キャッチ装置にはラックが設置され、前記ラックが第二ギヤと噛み合っており、前記ラックには左サポート棒が固定的に連結されていることを特徴とする高級化粧品用の郵便梱包機。
【請求項２】
前記運動装置は小車を含み、前記小車には第一短軸と第二短軸とが転動できるように連結され、前記第一短軸には二つの左輪が固定的に連結され、前記第二短軸には二つの右輪が固定的に連結され、前記二つの左輪にはそれぞれ第一ガイドレールと第二ガイドレールとが転動できるように連結され、前記二つの右輪にはそれぞれ第一ガイドレールと第二ガイドレールとが転動できるように連結され、前記小車にはモーターが固定的に連結され、前記モーターには出力軸と伝動できるように連結され、前記出力軸には第一はすば歯車が固定的に連結され、前記出力軸には第二はすば歯車が固定的に連結され、前記第二はすば歯車が第三ギヤと噛み合っており、前記第三ギヤには第三短軸が固定的に連結され、前記第三短軸と前記第一扇形ギヤが固定的に連結され、前記第三短軸には第一支持枠が転動できるように連結され、前記第一支持枠には前記小車が固定的に連結され、前記第一はすば歯車が第三はすば歯車と噛み合っており、前記第三はすば歯車には第四短軸が固定的に連結され、前記第二扇形ギヤが固定的に連結されていることを特徴とする請求項１に記載の高級化粧品用の郵便梱包機。
【請求項３】
前記梱包装置は前記機体と転動できるように連結される回転軸を含み、前記回転軸の上端には斜め棒が固定的に連結され、前記斜め棒には第一スプリングが固定的に連結され、前記第一スプリングには前記機体が固定的に連結され、前記回転軸にはスライド溝が固定的に連結され、前記スライド溝には第一連接棒がスライドできるように連結され、前記第一連接棒の左端には第二スプリングが固定的に連結され、前記第二スプリングの左端には前記スライド溝の内壁が固定的に連結され、前記第一連接棒の右端にはテープカバーが固定的に連結され、テープカバーには鋸歯が固定的に連結され、テープカバーには密封ローラーが回転できるように連結されていることを特徴とする請求項１に記載の高級化粧品用の郵便梱包機。
【請求項４】
前記投入装置は箱体を含み、前記箱体には第二連接棒がスライドできるように連結され、前記第二連接棒の右端には第三連接棒がヒンジで連結され、前記第三連接棒の中部には第二支持枠がヒンジで連結され、前記第二支持枠が前記機体と固定的に連結され、前記第三連接棒の下端には押し棒がヒンジで連結されていることを特徴とする請求項１に記載の高級化粧品用の郵便梱包機。
【請求項５】
前記キャッチ装置には前記第一ギヤと固定的に連結される中心回転軸を含み、前記中心回転軸には液圧装置が固定的に連結され、液圧装置には右サポート棒が固定的に連結され、前記液圧装置には曲げ棒がスライドできるように連結され、前記曲げ棒には横軸が転動できるように連結され、前記横軸には第四はすば歯車が固定的に連結され、前記第四はすば歯車が第五はすば歯車と噛み合っており、前記第五はすば歯車にはタービン棒が固定的に連結され、前記タービン棒がタービンと噛み合っており、前記タービンが弓形ラックと噛み合っており、前記弓形ラックの左端には左連接棒が固定的に連結され、左連接棒の下端には左吸盤が固定的に連結され、前記弓形ラックには円弧支持枠がスライドできるように連結され、前記円弧支持枠の右端には右連接棒が固定的に連結され、前記右連接棒には右吸盤が固定的に連結されていることを特徴とする請求項１に記載の高級化粧品用の郵便梱包機。
【請求項６】
前記回転チャンバーの下には紙箱を収納できる収納チャンバーが設置されていることを特徴とする請求項１に記載の高級化粧品用の郵便梱包機。
【請求項７】
前記機体の前には投入ガイド輪が設置され、前記機体の後には導出ガイド輪が設置されていることを特徴とする請求項１に記載の高級化粧品用の郵便梱包機。
【発明の詳細な説明】
【技術分野】
【０００１】
本発明は郵便梱包設備分野を取り上げて、具体的には高級化粧品用の郵便梱包機である。
【背景技術】
【０００２】
ネット通販が飛躍的に発展した上で、多くの通販商品が梱包発送になり、注文数の増加により、沢山の販売者の人工梱包速度が要求に満足できなく、そして高い人工料も経済コストになり、ネット販売者にとって、コストを最低限に下げられるこそ、自分の製品が市場競争力を備え、一方梱包速度が発送速度に影響し、普通の梱包方式が現在の注文量と顧客の発送速度への要求に満足できない。
以上のことにより、人工コストを節約し、発送速度を上げ、注文が大量に溜まることを解決できる全自動梱包機を設計することが必要となる。
【先行技術文献】
【特許文献】
【０００３】
【特許文献１】中国特許出願公開第１０５９２３１７９号明細書
【発明の概要】
【発明が解決しようとする課題】
【０００４】
本発明の目的は高級化粧品用の郵便梱包機を提供し、それは上記の現在の技術中の問題を解決できる。
【課題を解決するための手段】
【０００５】
上記の課題を解決するため、本発明は以下の技術プランを採用する：本発明の前記の高級化粧品用の郵便梱包機は、機体を含み、前記機体の内には回転チャンバーが設置され、前記回転チャンバーの中の頂壁には運動装置がスライドできるように連結され、前記回転チャンバーの左側には梱包装置が固定的に設置され、前記回転チャンバーの右側には投入装置が固定的に設置され、前記運動装置の下端にはキャッチ装置が回転できるように連結され、前記キャッチ装置は平たい紙を箱に折りたため、底を封じることに便利を与え、底を封じた後に前記投入装置で箱詰めを行い、更に前記梱包装置で口を封じ、前記運動装置には第一扇形ギヤが設置され、前記第一扇形ギヤが上ラックと下ラックと周期的に噛み合っており、これにより左右運動を実現し、前記運動装置には第二扇形ギヤが設置され、前記第二扇形ギヤが第一ギヤを周期的に噛み合っており、これにより方向変換を実現し、前記梱包装置の右端には上ガイドプレートと、下ガイドプレートと、左ガイドプレートと、右ガイドプレートとが設置され、紙箱が狭い入口に入ると紙箱の蓋を折りたたみ、これにより自動的に底を封じることを実現し、前記キャッチ装置にはラックが設置され、前記ラックが第二ギヤと噛み合っており、前記ラックには左サポート棒が固定的に連結されている。
【０００６】
更の技術プラン、前記運動装置は小車を含み、前記小車には第一短軸と第二短軸とが転動できるように連結され、前記第一短軸には二つの左輪が固定的に連結され、前記第二短軸には二つの右輪が固定的に連結され、前記二つの左輪にはそれぞれ第一ガイドレールと第二ガイドレールとが転動できるように連結され、前記二つの右輪にはそれぞれ第一ガイドレールと第二ガイドレールとが転動できるように連結され、前記小車にはモーターが固定的に連結され、前記モーターには出力軸と伝動できるように連結され、前記出力軸には第一はすば歯車が固定的に連結され、前記出力軸には第二はすば歯車が固定的に連結され、前記第二はすば歯車が第三ギヤと噛み合っており、前記第三ギヤには第三短軸が固定的に連結され、前記第三短軸と前記第一扇形ギヤが固定的に連結され、前記第三短軸には第一支持枠が転動できるように連結され、前記第一支持枠には前記小車が固定的に連結され、前記第一はすば歯車が第三はすば歯車と噛み合っており、前記第三はすば歯車には第四短軸が固定的に連結され、前記第二扇形ギヤが固定的に連結されている。
【０００７】
更の技術プラン、前記梱包装置は前記機体と転動できるように連結される回転軸を含み、前記回転軸の上端には斜め棒が固定的に連結され、前記斜め棒には第一スプリングが固定的に連結され、前記第一スプリングには前記機体が固定的に連結され、前記回転軸にはスライド溝が固定的に連結され、前記スライド溝には第一連接棒がスライドできるように連結され、前記第一連接棒の左端には第二スプリングが固定的に連結され、前記第二スプリングの左端には前記スライド溝の内壁が固定的に連結され、前記第一連接棒の右端にはテープカバーが固定的に連結され、テープカバーには鋸歯が固定的に連結され、テープカバーには密封ローラーが回転できるように連結されている。
【０００８】
更の技術プラン、前記投入装置は箱体を含み、前記箱体には第二連接棒がスライドできるように連結され、前記第二連接棒の右端には第三連接棒がヒンジで連結され、前記第三連接棒の中部には第二支持枠がヒンジで連結され、前記第二支持枠が前記機体と固定的に連結され、前記第三連接棒の下端には押し棒がヒンジで連結されている。
【０００９】
更の技術プラン、前記キャッチ装置には前記第一ギヤと固定的に連結される中心回転軸を含み、前記中心回転軸には液圧装置が固定的に連結され、液圧装置には右サポート棒が固定的に連結され、前記液圧装置には曲げ棒がスライドできるように連結され、前記曲げ棒には横軸が転動できるように連結され、前記横軸には第四はすば歯車が固定的に連結され、前記第四はすば歯車が第五はすば歯車と噛み合っており、前記第五はすば歯車にはタービン棒が固定的に連結され、前記タービン棒がタービンと噛み合っており、前記タービンが弓形ラックと噛み合っており、前記弓形ラックの左端には左連接棒が固定的に連結され、左連接棒の下端には左吸盤が固定的に連結され、前記弓形ラックには円弧支持枠がスライドできるように連結され、前記円弧支持枠の右端には右連接棒が固定的に連結され、前記右連接棒には右吸盤が固定的に連結されている。
【００１０】
更の技術プラン、前記回転チャンバーの下には紙箱を収納できる収納チャンバーが設置されている。
【００１１】
更の技術プラン、前記機体の前には投入ガイド輪が設置され、前記機体の後には導出ガイド輪が設置されている。
【発明の効果】
【００１２】
本発明は扇形ギヤの運動法則を採用し、連接棒の間の運動関係を利用し、巧みに郵便の自動梱包を行い、そして全過程に自動的に紙箱の底を封じ、自動的に製品を入れ、自動的に口を封じ、大量の人工コストを節約し、郵便の梱包速度を増加し、販売者の梱包することをもっと速くて便利にする。
【図面の簡単な説明】
【００１３】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の高級化粧品用の郵便梱包機の全体構成略図
【図２】図２は図１の左面構成略図
【図３】図３は図１のＡの拡大構成略図
【図４】図４は図１のＢ方向構成略図
【図５】図５は図１のＣ方向構成略図
【図６】図６は図１のＤの拡大構成略図
【図７】図７は図１のＥの拡大構成略図
【発明を実施するための形態】
【００１５】
本発明は高級化粧品用の郵便梱包機分野を取り上げて、主に工業材料の積卸し過程に応用し、以下に付図を参照しながら本発明について具体的に説明する。
【００１６】
本発明の前記の高級化粧品用の郵便梱包機は、機体１０を含み、前記機体１０の内には回転チャンバー１５が設置され、前記回転チャンバー１５の中の頂壁には運動装置１３がスライドできるように連結され、前記回転チャンバー１５の左側には梱包装置１１が固定的に設置され、前記回転チャンバー１５の右側には投入装置３７が固定的に設置され、前記運動装置１３の下端にはキャッチ装置１２が回転できるように連結され、前記キャッチ装置１２は平たい紙を箱に折りたため、底を封じることに便利を与え、底を封じた後に前記投入装置３７で箱詰めを行い、更に前記梱包装置１１で口を封じ、前記運動装置１３には第一扇形ギヤ４７が設置され、前記第一扇形ギヤ４７が上ラック１７と下ラック１８と周期的に噛み合っており、これにより左右運動を実現し、前記運動装置１３には第二扇形ギヤ５０が設置され、前記第二扇形ギヤ５０が第一ギヤ５１を周期的に噛み合っており、これにより方向変換を実現し、前記梱包装置１１の右端には上ガイドプレート６３と、下ガイドプレート６４と、左ガイドプレート６６と、右ガイドプレート６５とが設置され、紙箱が狭い入口に入ると紙箱の蓋を折りたたみ、これにより自動的に底を封じることを実現し、前記キャッチ装置１２にはラック５８が設置され、前記ラック５８が第二ギヤ７８と噛み合っており、前記ラック５８には左サポート棒５９が固定的に連結されている。
【００１７】
有益的には、以下は運動装置１３を詳しく説明し、前記運動装置１３は小車２０を含み、前記小車２０には第一短軸２５と第二短軸２４とが転動できるように連結され、前記第一短軸２５には二つの左輪２２が固定的に連結され、前記第二短軸２４には二つの右輪２３が固定的に連結され、前記二つの左輪２２にはそれぞれ第一ガイドレール２６と第二ガイドレール４０とが転動できるように連結され、前記二つの右輪２３にはそれぞれ第一ガイドレール２６と第二ガイドレール４０とが転動できるように連結され、前記小車２０にはモーター１６が固定的に連結され、前記モーター１６には出力軸１９と伝動できるように連結され、前記出力軸１９には第一はすば歯車４１が固定的に連結され、前記出力軸１９には第二はすば歯車４２が固定的に連結され、前記第二はすば歯車４２が第三ギヤ４３と噛み合っており、前記第三ギヤ４３には第三短軸４４が固定的に連結され、前記第三短軸４４と前記第一扇形ギヤ４７が固定的に連結され、前記第三短軸４４には第一支持枠４５が転動できるように連結され、前記第一支持枠４５には前記小車２０が固定的に連結され、前記第一はすば歯車４１が第三はすば歯車４８と噛み合っており、前記第三はすば歯車４８には第四短軸４９が固定的に連結され、前記第二扇形ギヤ５０が固定的に連結されている。
【００１８】
有益的には、以下は梱包装置１１を詳しく説明し、前記梱包装置１１は前記機体１０と転動できるように連結される回転軸６９を含み、前記回転軸６９の上端には斜め棒６８が固定的に連結され、前記斜め棒６８には第一スプリング７６が固定的に連結され、前記第一スプリング７６には前記機体１０が固定的に連結され、前記回転軸６９にはスライド溝７０が固定的に連結され、前記スライド溝７０には第一連接棒７５がスライドできるように連結され、前記第一連接棒７５の左端には第二スプリング７１が固定的に連結され、前記第二スプリング７１の左端には前記スライド溝７０の内壁が固定的に連結され、前記第一連接棒７５の右端にはテープカバー７２が固定的に連結され、テープカバー７２には鋸歯７３が固定的に連結され、テープカバー７２には密封ローラー６７が回転できるように連結されている。
【００１９】
有益的には、以下は投入装置３７を詳しく説明し、前記投入装置３７は箱体１４を含み、前記箱体１４には第二連接棒３３がスライドできるように連結され、前記第二連接棒３３の右端には第三連接棒３４がヒンジで連結され、前記第三連接棒３４の中部には第二支持枠３５がヒンジで連結され、前記第二支持枠３５が前記機体１０と固定的に連結され、前記第三連接棒３４の下端には押し棒３６がヒンジで連結されている。
【００２０】
有益的には、以下はキャッチ装置１２を詳しく説明し、前記キャッチ装置１２には前記第一ギヤ５１と固定的に連結される中心回転軸２１を含み、前記中心回転軸２１には液圧装置６０が固定的に連結され、液圧装置６０には右サポート棒７９が固定的に連結され、前記液圧装置６０には曲げ棒６１がスライドできるように連結され、前記曲げ棒６１には横軸７７が転動できるように連結され、前記横軸７７には第四はすば歯車５７が固定的に連結され、前記第四はすば歯車５７が第五はすば歯車５６と噛み合っており、前記第五はすば歯車５６にはタービン棒５３が固定的に連結され、前記タービン棒５３がタービン５４と噛み合っており、前記タービン５４が弓形ラック３１と噛み合っており、前記弓形ラック３１の左端には左連接棒２９が固定的に連結され、左連接棒２９の下端には左吸盤５２が固定的に連結され、前記弓形ラック３１には円弧支持枠３２がスライドできるように連結され、前記円弧支持枠３２の右端には右連接棒３０が固定的に連結され、前記右連接棒３０には右吸盤２８が固定的に連結されている。
【００２１】
有益的には、前記回転チャンバー１５の下には紙箱を収納できる収納チャンバー２７が設置されている。
【００２２】
有益的には、前記機体１０の前には投入ガイド輪３９が設置され、前記機体１０の後には導出ガイド輪３８が設置されている。
【００２３】
以下は図１〜７を合わせて本出願の高級化粧品用の郵便梱包機の使用手順について詳しく説明する：
【００２４】
梱包作業を行う時、前記液圧装置６０を起動し、前記曲げ棒６１が下へ運動し、前記第二ギヤ７８と前記ラック５８とを相対的に移動させ、前記第二ギヤ７８を回転連動させ、前記横軸７７を回転連動させ、前記第四はすば歯車７７を回転連動させ、前記第五はすば歯車５６を回転連動させ、前記タービン棒５３を回転連動させ、前記タービン５４を回転連動させ、前記弓形ラック３１をスライド連動させ、同時に前記左吸盤５２と前記右吸盤２８が紙箱を吸い込み、
この時、前記液圧装置６０が収縮し始め、前記第二ギヤ７８が反転し、前記左吸盤５２が復帰し、紙を紙箱に折り畳み、
前記モーター１６を再起動し、この時に前記出力軸１９を回転連動させ、同時に前記第三ギヤ４３を回転連動させ、更に前記第一扇形ギヤ４７が前記下ラック１８と噛み合っており、前記小車２０が左に運動し、同時に前記キャッチ装置１２が駆動されて左に運動し、この時に紙箱が狭い通路に入り、蓋が折りまれ、前記左サポート棒５９が前記斜め棒６８を押して移動させ、前記回転軸６９を回転連動させ、前記テープカバー７２を移動連動させ、この時に底を封じることが完了し、
前記第一扇形ギヤ４７が前記上ラック１７と噛み合い始める時に、前記キャッチ装置１２が右に移動し、右に移動する時に前記右サポート棒７９が前記第二連接棒３３を押し動かし、前記押し棒３６が化粧品を左へ押して紙箱に入れ、
その後、前記第一扇形ギヤ４７が前記下ラック１８と噛み合い始め、前記キャッチ装置１２が左に移動し始め、その時に前記第二扇形ギヤ５０が前記第一ギヤ５１と噛み合っており、前記第二扇形ギヤ５０が第一ギヤ５１と噛み合わなくなった時、紙箱が半周を回転し、
その時、前記第一扇形ギヤ４７が前記下ラック１８と噛み合い続き、前記キャッチ装置１２が右に移動し、口を封じ、
口を封じた後、前記キャッチ装置１２が復帰し、その時、前記右吸盤２８が紙箱を放し、梱包を完了する。
【００２５】
本発明の有益効果は：本発明は扇形ギヤの運動法則を採用し、連接棒の間の運動関係を利用し、巧みに郵便の自動梱包を行い、そして全過程に自動的に紙箱の底を封じ、自動的に製品を入れ、自動的に口を封じ、大量の人工コストを節約し、郵便の梱包速度を増加し、販売者の梱包することをもっと速くて便利にし、以上の方式により、本領域の技術者が本発明の保護範囲で工作模式により各種な変形ができる。
【図１】
2020200109.tif 000003
【図２】
2020200109.tif 000004
【図３】
2020200109.tif 000005
【図４】
2020200109.tif 000006
【図５】
2020200109.tif 000007
【図６】
2020200109.tif 000008
【図７】
2020200109.tif 000009
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
正面視で、機体を含み、前記機体の内には回転チャンバーが設置され、前記回転チャンバーの中の頂壁には運動装置がスライドできるように連結され、前記回転チャンバーの左側には梱包装置が固定的に設置され、前記回転チャンバーの右側には投入装置が固定的に設置され、前記運動装置の下端にはキャッチ装置が回転できるように連結され、  
前記キャッチ装置は平たい紙を箱に折りたため、底を封じることに便利を与え、底を封じた後に前記投入装置で箱詰めを行い、更に前記梱包装置で口を封じ、  
前記運動装置には第一扇形ギヤが設置され、前記第一扇形ギヤが上ラックと下ラックと周期的に噛み合っており、これにより左右運動を実現し、前記運動装置には第二扇形ギヤが設置され、前記第二扇形ギヤが第一ギヤを周期的に噛み合っており、これにより方向変換を実現し、  
前記梱包装置の右端には上ガイドプレートと、下ガイドプレートと、左ガイドプレートと、右ガイドプレートとが設置され、紙箱が狭い入口に入ると紙箱の蓋を折りたたみ、これにより自動的に底を封じることを実現し、  
前記キャッチ装置にはラックが設置され、前記ラックが第二ギヤと噛み合っており、前記ラックには左サポート棒が固定的に連結されていることを特徴とする高級化粧品用の郵便梱包機。  
【請求項２】
前記運動装置は小車を含み、前記小車には第一短軸と第二短軸とが転動できるように連結され、前記第一短軸には二つの左輪が固定的に連結され、前記第二短軸には二つの右輪が固定的に連結され、前記二つの左輪にはそれぞれ第一ガイドレールと第二ガイドレールとが転動できるように連結され、前記二つの右輪にはそれぞれ第一ガイドレールと第二ガイドレールとが転動できるように連結され、前記小車にはモーターが固定的に連結され、前記モーターには出力軸と伝動できるように連結され、前記出力軸には第一はすば歯車が固定的に連結され、前記出力軸には第二はすば歯車が固定的に連結され、前記第二はすば歯車が第三ギヤと噛み合っており、前記第三ギヤには第三短軸が固定的に連結され、前記第三短軸と前記第一扇形ギヤが固定的に連結され、前記第三短軸には第一支持枠が転動できるように連結され、前記第一支持枠には前記小車が固定的に連結され、前記第一はすば歯車が第三はすば歯車と噛み合っており、前記第三はすば歯車には第四短軸が固定的に連結され、前記第二扇形ギヤが固定的に連結されていることを特徴とする請求項１に記載の高級化粧品用の郵便梱包機。  
【請求項３】
前記梱包装置は前記機体と転動できるように連結される回転軸を含み、前記回転軸の上端が右方に曲がっており、また前記回転軸の上端には斜め棒が固定的に連結され、前記斜め棒には第一スプリングが固定的に連結され、前記第一スプリングには前記機体が固定的に連結され、前記回転軸にはスライド溝が固定的に連結され、前記スライド溝には第一連接棒がスライドできるように連結され、前記第一連接棒の左端には第二スプリングが固定的に連結され、前記第二スプリングの左端には前記スライド溝の内壁が固定的に連結され、前記第一連接棒の右端にはテープカバーが固定的に連結され、テープカバーには鋸歯が固定的に連結され、テープカバーには密封ローラーが回転できるように連結されていることを特徴とする請求項１に記載の高級化粧品用の郵便梱包機。  
【請求項４】
前記投入装置は箱体を含み、前記箱体には第二連接棒がスライドできるように連結され、前記第二連接棒の右端には第三連接棒がヒンジで連結され、前記第三連接棒の中部には第二支持枠がヒンジで連結され、前記第二支持枠が前記機体と固定的に連結され、前記第三連接棒の下端には押し棒がヒンジで連結されていることを特徴とする請求項１に記載の高級化粧品用の郵便梱包機。  
【請求項５】
前記キャッチ装置には前記第一ギヤと固定的に連結される中心回転軸を含み、前記中心回転軸には液圧装置が固定的に連結され、液圧装置には右サポート棒が固定的に連結され、前記液圧装置には曲げ棒がスライドできるように連結され、前記曲げ棒には横軸が転動できるように連結され、前記横軸には第四はすば歯車が固定的に連結され、前記第四はすば歯車が第五はすば歯車と噛み合っており、前記第五はすば歯車にはタービン棒が固定的に連結され、前記タービン棒がタービンと噛み合っており、前記タービンが弓形ラックと噛み合っており、前記弓形ラックの左端には左連接棒が固定的に連結され、左連接棒の下端には左吸盤が固定的に連結され、前記弓形ラックには円弧支持枠がスライドできるように連結され、前記円弧支持枠の右端には右連接棒が固定的に連結され、前記右連接棒には右吸盤が固定的に連結されていることを特徴とする請求項１に記載の高級化粧品用の郵便梱包機。  
【請求項６】
前記回転チャンバーの下には紙箱を収納できる収納チャンバーが設置されていることを特徴とする請求項１に記載の高級化粧品用の郵便梱包機。  
【請求項７】
前記機体の前には投入ガイド輪が設置され、前記機体の後には導出ガイド輪が設置されていることを特徴とする請求項１に記載の高級化粧品用の郵便梱包機。
【手続補正２】
【補正対象書類名】明細書
【補正対象項目名】全文
【補正方法】変更
【補正の内容】
【発明の詳細な説明】
【技術分野】
【０００１】
本発明は郵便梱包設備分野を取り上げて、具体的には高級化粧品用の郵便梱包機である。  
【背景技術】
【０００２】
ネット通販が飛躍的に発展した上で、多くの通販商品が梱包発送になり、注文数の増加により、沢山の販売者の人工梱包速度が要求に満足できなく、そして高い人工料も経済コストになり、ネット販売者にとって、コストを最低限に下げられるこそ、自分の製品が市場競争力を備え、一方梱包速度が発送速度に影響し、普通の梱包方式が現在の注文量と顧客の発送速度への要求に満足できない。  
以上のことにより、人工コストを節約し、発送速度を上げ、注文が大量に溜まることを解決できる全自動梱包機を設計することが必要となる。  
【先行技術文献】
【特許文献】
【０００３】
【特許文献１】中国特許出願公開第１０５９２３１７９号明細書
【発明の概要】
【発明が解決しようとする課題】
【０００４】
本発明の目的は高級化粧品用の郵便梱包機を提供し、それは上記の現在の技術中の問題を解決できる。  
【課題を解決するための手段】
【０００５】
上記の課題を解決するため、本発明は以下の技術プランを採用する：本発明の前記の高級化粧品用の郵便梱包機は、機体を含み、前記機体の内には回転チャンバーが設置され、前記回転チャンバーの中の頂壁には運動装置がスライドできるように連結され、前記回転チャンバーの左側には梱包装置が固定的に設置され、前記回転チャンバーの右側には投入装置が固定的に設置され、前記運動装置の下端にはキャッチ装置が回転できるように連結され、前記キャッチ装置は平たい紙を箱に折りたため、底を封じることに便利を与え、底を封じた後に前記投入装置で箱詰めを行い、更に前記梱包装置で口を封じ、前記運動装置には第一扇形ギヤが設置され、前記第一扇形ギヤが上ラックと下ラックと周期的に噛み合っており、これにより左右運動を実現し、前記運動装置には第二扇形ギヤが設置され、前記第二扇形ギヤが第一ギヤを周期的に噛み合っており、これにより方向変換を実現し、前記梱包装置の右端には上ガイドプレートと、下ガイドプレートと、左ガイドプレートと、右ガイドプレートとが設置され、紙箱が狭い入口に入ると紙箱の蓋を折りたたみ、これにより自動的に底を封じることを実現し、前記キャッチ装置にはラックが設置され、前記ラックが第二ギヤと噛み合っており、前記ラックには左サポート棒が固定的に連結されている。
【０００６】
更の技術プラン、前記運動装置は小車を含み、前記小車には第一短軸と第二短軸とが転動できるように連結され、前記第一短軸には二つの左輪が固定的に連結され、前記第二短軸には二つの右輪が固定的に連結され、前記二つの左輪にはそれぞれ第一ガイドレールと第二ガイドレールとが転動できるように連結され、前記二つの右輪にはそれぞれ第一ガイドレールと第二ガイドレールとが転動できるように連結され、前記小車にはモーターが固定的に連結され、前記モーターには出力軸と伝動できるように連結され、前記出力軸には第一はすば歯車が固定的に連結され、前記出力軸には第二はすば歯車が固定的に連結され、前記第二はすば歯車が第三ギヤと噛み合っており、前記第三ギヤには第三短軸が固定的に連結され、前記第三短軸と前記第一扇形ギヤが固定的に連結され、前記第三短軸には第一支持枠が転動できるように連結され、前記第一支持枠には前記小車が固定的に連結され、前記第一はすば歯車が第三はすば歯車と噛み合っており、前記第三はすば歯車には第四短軸が固定的に連結され、前記第二扇形ギヤが固定的に連結されている。  
【０００７】
更の技術プラン、前記梱包装置は前記機体と転動できるように連結される回転軸を含み、前記回転軸の上端が右方に曲がっており、また前記回転軸の上端には斜め棒が固定的に連結され、前記斜め棒には第一スプリングが固定的に連結され、前記第一スプリングには前記機体が固定的に連結され、前記回転軸にはスライド溝が固定的に連結され、前記スライド溝には第一連接棒がスライドできるように連結され、前記第一連接棒の左端には第二スプリングが固定的に連結され、前記第二スプリングの左端には前記スライド溝の内壁が固定的に連結され、前記第一連接棒の右端にはテープカバーが固定的に連結され、テープカバーには鋸歯が固定的に連結され、テープカバーには密封ローラーが回転できるように連結されている。  
【０００８】
更の技術プラン、前記投入装置は箱体を含み、前記箱体には第二連接棒がスライドできるように連結され、前記第二連接棒の右端には第三連接棒がヒンジで連結され、前記第三連接棒の中部には第二支持枠がヒンジで連結され、前記第二支持枠が前記機体と固定的に連結され、前記第三連接棒の下端には押し棒がヒンジで連結されている。  
【０００９】
更の技術プラン、前記キャッチ装置には前記第一ギヤと固定的に連結される中心回転軸を含み、前記中心回転軸には液圧装置が固定的に連結され、液圧装置には右サポート棒が固定的に連結され、前記液圧装置には曲げ棒がスライドできるように連結され、前記曲げ棒には横軸が転動できるように連結され、前記横軸には第四はすば歯車が固定的に連結され、前記第四はすば歯車が第五はすば歯車と噛み合っており、前記第五はすば歯車にはタービン棒が固定的に連結され、前記タービン棒がタービンと噛み合っており、前記タービンが弓形ラックと噛み合っており、前記弓形ラックの左端には左連接棒が固定的に連結され、左連接棒の下端には左吸盤が固定的に連結され、前記弓形ラックには円弧支持枠がスライドできるように連結され、前記円弧支持枠の右端には右連接棒が固定的に連結され、前記右連接棒には右吸盤が固定的に連結されている。  
【００１０】
更の技術プラン、前記回転チャンバーの下には紙箱を収納できる収納チャンバーが設置されている。  
【００１１】
更の技術プラン、前記機体の前には投入ガイド輪が設置され、前記機体の後には導出ガイド輪が設置されている。  
【発明の効果】
【００１２】
本発明は扇形ギヤの運動法則を採用し、連接棒の間の運動関係を利用し、巧みに郵便の自動梱包を行い、そして全過程に自動的に紙箱の底を封じ、自動的に製品を入れ、自動的に口を封じ、大量の人工コストを節約し、郵便の梱包速度を増加し、販売者の梱包することをもっと速くて便利にする。  
【図面の簡単な説明】
【００１３】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１４】
【図１】図１は本発明の高級化粧品用の郵便梱包機の全体構成略図
【図２】図２は図１の左面構成略図
【図３】図３は図１のＡの拡大構成略図
【図４】図４は図１のＢ方向構成略図
【図５】図５は図１のＣ方向構成略図
【図６】図６は図１のＤの拡大構成略図
【図７】図７は図１のＥの拡大構成略図
【発明を実施するための形態】
【００１５】
本発明は高級化粧品用の郵便梱包機分野を取り上げて、主に工業材料の積卸し過程に応用し、以下に付図を参照しながら本発明について具体的に説明する。  
【００１６】
本発明の前記の高級化粧品用の郵便梱包機は、機体１０を含み、前記機体１０の内には回転チャンバー１５が設置され、前記回転チャンバー１５の中の頂壁には運動装置１３がスライドできるように連結され、前記回転チャンバー１５の左側には梱包装置１１が固定的に設置され、前記回転チャンバー１５の右側には投入装置３７が固定的に設置され、前記運動装置１３の下端にはキャッチ装置１２が回転できるように連結され、前記キャッチ装置１２は平たい紙を箱に折りたため、底を封じることに便利を与え、底を封じた後に前記投入装置３７で箱詰めを行い、更に前記梱包装置１１で口を封じ、前記運動装置１３には第一扇形ギヤ４７が設置され、前記第一扇形ギヤ４７が上ラック１７と下ラック１８と周期的に噛み合っており、これにより左右運動を実現し、前記運動装置１３には第二扇形ギヤ５０が設置され、前記第二扇形ギヤ５０が第一ギヤ５１を周期的に噛み合っており、これにより方向変換を実現し、前記梱包装置１１の右端には上ガイドプレート６３と、下ガイドプレート６４と、左ガイドプレート６６と、右ガイドプレート６５とが設置され、紙箱が狭い入口に入ると紙箱の蓋を折りたたみ、これにより自動的に底を封じることを実現し、前記キャッチ装置１２にはラック５８が設置され、前記ラック５８が第二ギヤ７８と噛み合っており、前記ラック５８には左サポート棒５９が固定的に連結されている。  
【００１７】
有益的には、以下は運動装置１３を詳しく説明し、前記運動装置１３は小車２０を含み、前記小車２０には第一短軸２５と第二短軸２４とが転動できるように連結され、前記第一短軸２５には二つの左輪２２が固定的に連結され、前記第二短軸２４には二つの右輪２３が固定的に連結され、前記二つの左輪２２にはそれぞれ第一ガイドレール２６と第二ガイドレール４０とが転動できるように連結され、前記二つの右輪２３にはそれぞれ第一ガイドレール２６と第二ガイドレール４０とが転動できるように連結され、前記小車２０にはモーター１６が固定的に連結され、前記モーター１６には出力軸１９と伝動できるように連結され、前記出力軸１９には第一はすば歯車４１が固定的に連結され、前記出力軸１９には第二はすば歯車４２が固定的に連結され、前記第二はすば歯車４２が第三ギヤ４３と噛み合っており、前記第三ギヤ４３には第三短軸４４が固定的に連結され、前記第三短軸４４と前記第一扇形ギヤ４７が固定的に連結され、前記第三短軸４４には第一支持枠４５が転動できるように連結され、前記第一支持枠４５には前記小車２０が固定的に連結され、前記第一はすば歯車４１が第三はすば歯車４８と噛み合っており、前記第三はすば歯車４８には第四短軸４９が固定的に連結され、前記第二扇形ギヤ５０が固定的に連結されている。
【００１８】
有益的には、以下は梱包装置１１を詳しく説明し、前記梱包装置１１は前記機体１０と転動できるように連結される回転軸６９を含み、前記回転軸６９の上端が右方に曲がっており、また前記回転軸６９の上端には斜め棒６８が固定的に連結され、前記斜め棒６８には第一スプリング７６が固定的に連結され、前記第一スプリング７６には前記機体１０が固定的に連結され、前記回転軸６９にはスライド溝７０が固定的に連結され、前記スライド溝７０には第一連接棒７５がスライドできるように連結され、前記第一連接棒７５の左端には第二スプリング７１が固定的に連結され、前記第二スプリング７１の左端には前記スライド溝７０の内壁が固定的に連結され、前記第一連接棒７５の右端にはテープカバー７２が固定的に連結され、テープカバー７２には鋸歯７３が固定的に連結され、テープカバー７２には密封ローラー６７が回転できるように連結されている。  
【００１９】
有益的には、以下は投入装置３７を詳しく説明し、前記投入装置３７は箱体１４を含み、前記箱体１４には第二連接棒３３がスライドできるように連結され、前記第二連接棒３３の右端には第三連接棒３４がヒンジで連結され、前記第三連接棒３４の中部には第二支持枠３５がヒンジで連結され、前記第二支持枠３５が前記機体１０と固定的に連結され、前記第三連接棒３４の下端には押し棒３６がヒンジで連結されている。  
【００２０】
有益的には、以下はキャッチ装置１２を詳しく説明し、前記キャッチ装置１２には前記第一ギヤ５１と固定的に連結される中心回転軸２１を含み、前記中心回転軸２１には液圧装置６０が固定的に連結され、液圧装置６０には右サポート棒７９が固定的に連結され、前記液圧装置６０には曲げ棒６１がスライドできるように連結され、前記曲げ棒６１には横軸７７が転動できるように連結され、前記横軸７７には第四はすば歯車５７が固定的に連結され、前記第四はすば歯車５７が第五はすば歯車５６と噛み合っており、前記第五はすば歯車５６にはタービン棒５３が固定的に連結され、前記タービン棒５３がタービン５４と噛み合っており、前記タービン５４が弓形ラック３１と噛み合っており、前記弓形ラック３１の左端には左連接棒２９が固定的に連結され、左連接棒２９の下端には左吸盤５２が固定的に連結され、前記弓形ラック３１には円弧支持枠３２がスライドできるように連結され、前記円弧支持枠３２の右端には右連接棒３０が固定的に連結され、前記右連接棒３０には右吸盤２８が固定的に連結されている。  
【００２１】
有益的には、前記回転チャンバー１５の下には紙箱を収納できる収納チャンバー２７が設置されている。  
【００２２】
有益的には、前記機体１０の前には投入ガイド輪３９が設置され、前記機体１０の後には導出ガイド輪３８が設置されている。  
【００２３】
以下は図１〜７を合わせて本出願の高級化粧品用の郵便梱包機の使用手順について詳しく説明する：  
【００２４】
梱包作業を行う時、前記液圧装置６０を起動し、前記曲げ棒６１が下へ運動し、前記第二ギヤ７８と前記ラック５８とを相対的に移動させ、前記第二ギヤ７８を回転連動させ、前記横軸７７を回転連動させ、前記第四はすば歯車７７を回転連動させ、前記第五はすば歯車５６を回転連動させ、前記タービン棒５３を回転連動させ、前記タービン５４を回転連動させ、前記弓形ラック３１をスライド連動させ、同時に前記左吸盤５２と前記右吸盤２８が紙箱を吸い込み、  
この時、前記液圧装置６０が収縮し始め、前記第二ギヤ７８が反転し、前記左吸盤５２と前記右吸盤２８が初期位置に復帰して紙箱の隣接する二つの面を吸い付け、紙箱が折り畳まれることまたは矩形に広がることを実現し、  
前記モーター１６を再起動し、この時に前記出力軸１９を回転連動させ、同時に前記第三ギヤ４３を回転連動させ、更に前記第一扇形ギヤ４７が前記下ラック１８と噛み合っており、前記小車２０が左に運動し、同時に前記キャッチ装置１２が駆動されて左に運動し、この時に紙箱が狭い通路に入り、蓋が折りまれ、前記左サポート棒５９が前記斜め棒６８を押して移動させ、前記回転軸６９を回転連動させ、前記テープカバー７２を移動連動させ、この時に底を封じることが完了し、  
前記第一扇形ギヤ４７が前記上ラック１７と噛み合い始める時に、前記キャッチ装置１２が右に移動し、右に移動する時に前記右サポート棒７９が前記第二連接棒３３を押し動かし、前記押し棒３６が化粧品を左へ押して紙箱に入れ、  
その後、前記第一扇形ギヤ４７が前記下ラック１８と噛み合い始め、前記キャッチ装置１２が左に移動し始め、その時に前記第二扇形ギヤ５０が前記第一ギヤ５１と噛み合っており、前記第二扇形ギヤ５０が第一ギヤ５１と噛み合わなくなった時、紙箱が半周を回転し、  
その時、前記第一扇形ギヤ４７が前記下ラック１８と噛み合い続き、前記キャッチ装置１２が右に移動し、口を封じ、  
口を封じた後、前記キャッチ装置１２が復帰し、その時、前記右吸盤２８が紙箱を放し、梱包を完了する。  
【００２５】
本発明の有益効果は：本発明は扇形ギヤの運動法則を採用し、連接棒の間の運動関係を利用し、巧みに郵便の自動梱包を行い、そして全過程に自動的に紙箱の底を封じ、自動的に製品を入れ、自動的に口を封じ、大量の人工コストを節約し、郵便の梱包速度を増加し、販売者の梱包することをもっと速くて便利にし、以上の方式により、本領域の技術者が本発明の保護範囲で工作模式により各種な変形ができる。